(57)【要約】      （修正有）【課題】走行レーンを移動する車両の運転支援システムおよび運転支援方法に関する。【解決手段】カメラ２は車両１に搭載され、走行レーン１１に設けられている地上インフラストラクチャの画像を取得する。地上インフラストラクチャは、走行レーン１１の推奨速度をエンコーディングするように構成されている少なくとも１つの地上マーキング２１を含んでいる。オンボード推奨速度特定装置３は、カメラ２で取得した画像から地上インフラストラクチャを識別し、走行レーン１１の推奨速度をリアルタイムで特定するために、地上マーキング２１をデコーディングし、かつ推奨速度の設定値を伝送する。運転支援装置４は、推奨速度の設定値をドライバを支援するために、推奨速度の設定値を使用するように構成される。【選択図】図１
2018045683.tif 000002
【特許請求の範囲】
【請求項１】
走行レーン（１１）を移動するように構成されている車両（１）の運転支援システムにおいて、
前記システムは、
カメラ（２）と、オンボード推奨速度特定装置（３）と、運転支援装置（４）と、を有しており、
−前記カメラ（２）は、前記車両（１）に搭載されるように構成されており、かつ前記走行レーン（１１）上に設けられている地上インフラストラクチャの画像を取得するように構成されており、
−前記地上インフラストラクチャは、前記走行レーン（１１）の少なくとも一部に設けられており、かつ前記走行レーン（１１）の前記一部に関する推奨速度をエンコーディングするように構成されている少なくとも１つの地上マーキング（２１）を含んでおり、
−前記オンボード推奨速度特定装置（３）は、前記カメラ（２）によって取得された前記画像において前記地上インフラストラクチャを識別することができ、前記走行レーン（１１）の一部に関する前記推奨速度をリアルタイムで特定するために、前記カメラ（２）によって取得された前記画像における前記地上マーキングをデコーディングし、かつ推奨速度の設定値を伝送するように構成されており、
−前記運転支援装置（４）は、前記推奨速度の設定値を受信し、かつ前記走行レーンの一部において前記車両を運転する際にドライバを支援するために、前記推奨速度の設定値を使用するように構成されている、
ことを特徴とする、運転支援システム。
【請求項２】
支援を以下の形態のうちの少なくとも１つの形態で、すなわち
−前記推奨速度の設定値を、前記車両の前記ドライバにリアルタイムで通知する、
−前記推奨速度を超過したことについて前記ドライバに警告を発する、但し、前記支援装置は、前記車両の実際の速度を前記推奨速度の設定値とリアルタイムで比較するように構成されている、
−前記設定値を使用して取得された前記推奨速度に応じて、前記車両の速度を自動的に制御する、
のうちの少なくとも１つの形態で、支援を提供するように、前記支援装置（４）は構成されている、請求項１記載の運転支援システム。
【請求項３】
前記地上マーキング（２１）は、前記推奨速度に応じて可変であり、かつ前記推奨速度をエンコーディングするために使用される可変寸法と、前記走行レーンの一部に関する前記推奨速度に無関係に不変のままである不変寸法と、を有している幾何学パターンを含んでいる、請求項１または２記載の運転支援システム。
【請求項４】
前記パターンは、相互に距離を置く複数のダッシュ（２１１）から成る線であり、前記不変寸法は、各ダッシュ（２１１）の同一の長さＬであり、前記可変寸法は、連続する２つのダッシュ間の距離の長さＸであり、前記長さＸは、前記走行レーンの一部に関する前記推奨速度に応じて変化し、かつ前記推奨速度をエンコーディングするために使用される、請求項３記載の運転支援システム。
【請求項５】
前記パターンは、相互に距離を置く複数のダッシュ（２１１）から成る線であり、前記不変寸法は、連続するダッシュ間の距離の同一の長さＸであり、前記可変寸法は、前記ダッシュ（２１１）の長さＬであり、前記長さＬは、前記走行レーンの一部に関する前記推奨速度に応じて変化し、かつ前記推奨速度をエンコーディングするために使用される、請求項３記載の運転支援システム。
【請求項６】
前記特定装置（３）は、前記カメラ（２）によって取得された前記画像において測定された前記不変寸法と前記可変寸法との比率に応じて、前記推奨速度を特定または計算するように構成されている、請求項３から５までのいずれか１項記載の運転支援システム。
【請求項７】
前記特定装置（３）は、プログラムにエンコーディングされた関数またはテーブルを含んでおり、かつ前記カメラ（２）によって取得された前記画像において測定されるような、前記不変寸法と前記可変寸法との比率の入力データを、出力データとしての一意の推奨速度と照合するように構成されている、請求項３から６までのいずれか１項記載の運転支援システム。
【請求項８】
前記地上マーキング（２１）は、前記車両（１）のための経路を事前に規定するように構成されており、かつ前記車両（１）のための誘導手段として機能する、請求項１から７までのいずれか１項記載の運転支援システム。
【請求項９】
走行レーン（１１）の少なくとも一部に関する、車両（１）のための推奨速度を特定する、前記走行レーン（１１）に沿って移動する前記車両（１）の運転支援方法において、
−前記走行レーンの少なくとも一部のための地上マーキング（２１）によって、推奨速度をエンコーディングし、
−前記車両（１）に搭載されているカメラ（２）によって取得された画像における前記推奨速度の前記エンコーディングをデコーディングすることによって、前記推奨速度をリアルタイムで特定し、
−前記走行レーンの一部において前記車両を運転する際にドライバを支援するために、前記推奨速度を使用する、
ことを特徴とする、運転支援方法。
【請求項１０】
前記推奨速度を、以下のやり方、すなわち、
−前記車両の前記ドライバに前記推奨速度をリアルタイムで通知する、
−前記推奨速度を超過したことを前記ドライバに警告する、
−前記推奨速度に応じて、前記車両の速度を自動的に制御する、
のうちの１つで、前記ドライバを支援するために使用する、請求項８記載の運転支援方法。
【請求項１１】
前記地上マーキング（２１）は、前記推奨速度に応じて可変であり、かつ前記推奨速度をエンコーディングするために使用される寸法と、前記走行レーンの一部に関する前記推奨速度に無関係に不変のままである不変寸法と、を有している幾何学パターンを含んでいる、請求項９または１０記載の運転支援方法。
【請求項１２】
前記カメラによって取得された前記画像において測定された前記不変寸法と前記可変寸法との比率に応じて、前記推奨速度を特定または計算する、請求項１１記載の運転支援方法。
【請求項１３】
前記パターンは、相互に距離を置く複数のダッシュ（２１１）から成る線であり、前記不変寸法は、各ダッシュ（２１１）の同一の長さＬであり、前記可変寸法は、連続する２つのダッシュ間の距離の長さＸであり、前記長さＸは、前記推奨速度をエンコーディングするために、前記走行レーンの一部に関する前記推奨速度に応じて変化する、請求項１１または１２記載の運転支援方法。
【請求項１４】
前記地上マーキング（２１）により前記車両（１）を誘導する、請求項９から１３までのいずれか１項記載の運転支援方法。
【発明の詳細な説明】
【技術分野】
【０００１】
本発明は、所定のダイナミクスに従って所定の経路に追従するために車両のドライバを支援することを意図して地上インフラストラクチャが設けられている所定の走行レーンに沿って移動するように構成されている車両のための推奨速度を特定する、運転支援システムおよび運転支援方法に関する。本発明は、特に、公共交通機関、例えばバスまたはトロリーバスに使用される車両に関し、走行レーンに設けられている前記の地上インフラストラクチャは、例えば、前記の車両のための正確な経路を規定する地上に設けられたサインを含んでおり、また前記の車両は、当該の車両の運転時にドライバを支援するために、前記のインフラストラクチャによって、例えば前記のサインによって規定されている経路を読み出して特定するように構成されているビジョンシステムを有している。前記のビジョンシステムを使用して光学的に誘導するそのような運転支援システムは、特に、当業者には公知である。
【０００２】
そのような車両に関する問題の１つは、特に、走行レーンの局所的な状況または局所的なコンテキスト（例えばカーブまたは停車場へのアプローチ）に応じた、ドライバによる前記の車両の速度の適合である。交通標識は、通常の場合、異なるタイプの車両に対して、走行レーンの局所的な状況に応じた最適な速度を示すために使用される。その他の解決手段は、走行レーンに沿って制限速度を規定するために適合されたマップおよびＧＰＳポジショニングの使用である。オンボードシステムは、走行レーンに沿って設置されている制限速度サインを読み出すことによって、レーンの一部に対する許容速度を特定することができ、また例えば、許容制限速度を超過した場合には、ドライバに対して音響的または視覚的に警告を発することができる。
【０００３】
それにもかかわらず、既存の解決手段は通常の場合、複雑な地上インフラストラクチャを必要とし、これは一方では速度を示すサインの設置を必要とし、他方では経路を示す地上マーキングを必要とする。さらに、交通標識は、速度を連続的に示すことができない。実際のところ、交通標識は、例えばカーブの開始地点において、走行レーンの離散的な地点での制限速度を示すが、カーブの開始からカーブの終了までの、そのカーブにとっての最適な速度を連続的に示すことはできない。
【０００４】
本発明は、車両のための走行レーンの一部または一区間に関する推奨速度サインを単純にし、またそれらの速度サインをより正確なものにし、さらには連続的なものにすることができる。さらに１つの有利なヴァリエーションでは、前記の車両の速度を少なくとも一時的に、前記の推奨速度に応じて自動的に制御することができる。このために、走行レーン上を移動する車両のための推奨速度を特定するためのシステムおよび方法が、請求項１および請求項９に記載の事項によって提案されている。一連の従属請求項から、本発明のその他の利点が明らかになる。
【０００５】
従って、本発明は特に、走行レーンに沿って移動する車両のための推奨速度を特定する運転支援システムに関し、従って前記のシステムは、例えば前記の車両が移動する前記の走行レーンのカーブにおける車両の運転中にドライバを支援し、また前記のシステムは以下の構成要素を含んでいる：
−前記の車両に搭載されるように構成されているカメラ。前記のカメラは、有利には、前記の車両の前部に設置されるように構成されており、また前記のカメラは、走行レーン上に設けられている地上インフラストラクチャの画像を取得するように構成されている；
−前記の地上インフラストラクチャは、前記の走行レーンの少なくとも一部に設けられており、また前記の地上インフラストラクチャは、前記の車両のための走行レーンの一部に関する推奨速度のエンコーディングを成している、少なくとも１つの地上マーキングを含んでいる；
−カメラによって取得された画像において前記の地上インフラストラクチャを識別することができ、かつカメラによって取得された画像における推奨速度のエンコーディングをデコーディングすることによって、前記の走行レーンの一部に関する推奨速度Ｖをリアルタイムで特定するように構成されているオンボード推奨速度特定装置。また前記のオンボード装置は、推奨速度Ｖの設定値を伝送するように構成されている；
−前記の推奨速度Ｖの設定値を受信し、かつ前記の走行レーンの一部において車両を運転する際に前記のドライバを支援するために、前記の推奨速度Ｖの設定値を使用するように構成されている運転支援装置。支援装置によって提供される前記の支援は、以下の種々の形態を取ることができる：
○支援装置は、例えば、前記の設定値によって提供される推奨速度Ｖを、ドライバにリアルタイムで単純に通知することができる。この通知は、例えば、ドライバに情報を与えるために作成される、および／または
○支援装置は、例えば、推奨速度Ｖを前記の車両の実際の速度とリアルタイムで比較し、かつ実際速度が推奨速度Ｖを超過した場合には、ドライバに警告を発することができる；
○支援装置は、例えば、前記の車両の実際の速度を、リアルタイムで特定された推奨速度Ｖの設定値に応じて、自動的に制御することができる。換言すれば、この後者の実施の形態によれば、車両の実際の速度が、推奨速度Ｖに等しくなるように、前記の支援装置によって自動的に制御される。ドライバは、受動的な役割を担い、車両の速度を連続的に制御することはもはや必要なくなり、その代わり、車両の速度は、少なくとも前記の走行レーンの一部についてはドライバ支援装置によって制御される。それにもかかわらず、前記のドライバは、例えば運転状況および／または走行レーンの状況に応じた前記の車両の加速または減速によって、車両の速度の制御にいつでも介入することができる。
【０００６】
従って本発明は、特に、走行レーンの局所的な状況に適した速度を示すために必要とされる地上インフラストラクチャを簡略化することができ、さらに走行レーンの一部または走行レーンのセクションに関する、例えばカーブに関する最適な速度を連続的に示すことができる。
【０００７】
さらに本発明は、前記の走行レーンの少なくとも一部に関する前記の車両のための推奨速度を特定する、走行レーンに沿って移動する車両の運転支援方法に関し、従って前記の方法は、前記の車両の運転中に車両の前記のドライバを支援することができ、この方法は以下の事項を含んでいる：
−走行レーンの少なくとも一部のための地上マーキングによって、推奨速度をエンコーディングする。さらに前記の方法は、走行レーンの開始から終了まで延びる地上マーキングによって推奨速度を連続的にエンコーディングすること、または前記の走行レーンの特定の部分についてのみの推奨速度を、例えばカーブでの、または一般的に車両の減速または加速が要求される走行レーンの部分での推奨速度をエンコーディングすることを含むことができる；
−オンボード推奨速度特定装置によって前記の推奨速度Ｖを特定する。前記のオンボード装置は、前記の車両に搭載されているカメラによって取得された画像における前記の推奨速度のエンコーディングをデコーディングすることによって、前記の推奨速度Ｖをリアルタイムで特定するように構成されている；
−有利には、前記のオンボード特定装置によって推奨速度Ｖの設定値を伝送する。
−車両が前記の走行レーンの一部を走行する際に、前記のドライバを支援するために、例えば前記のドライバにリアルタイムで、前記の走行レーンの一部のための推奨速度Ｖを通知するか、またはドライバに、前記の推奨速度の超過を通知するか、または推奨速度Ｖの設定値に応じて前記の車両の速度を制御することによって、推奨速度Ｖを使用する。
【０００８】
従って、本発明によれば、オンボード推奨速度特定装置は、特に、地上インフラストラクチャの地上マーキングを解析し、前記の地上マーキングにエンコーディングされている推奨速度に関する情報を特定することによって、推奨速度Ｖを特定することができ、従って前記の地上マーキングは、例えば、前記の車両に関する経路を事前に規定することによって、また例えば前記のマーキングのパターンに前記の推奨速度を有利には連続的にエンコーディングして推奨速度を通知することによって、前記の車両の誘導について二重の機能を有している。本発明は、例えば、地上マーキングの前記のパターンを変更することによって、走行レーンの一部にわたる、例えばカーブ、またはバス停の場合には停止位置での推奨速度の連続的な通知を提供することができる。実際には、本発明によれば、走行レーンの一部に関する推奨速度の変化が、前記の地上マーキングのパターンの変更によってエンコーディングされる。特に、前記のパターンの幾何学形状は、推奨速度に無関係に不変のままであるが、しかしながら前記の幾何学形状の少なくとも１つの寸法は前記の推奨速度に応じて変更される。例えば前記のパターンは円形であり、かつ前記の円の寸法は、推奨速度に応じて変更される。
【０００９】
本発明をより良く理解するために、実施例および用途を下記において説明する。
【図面の簡単な説明】
【００１０】
【図１】本発明による運転支援システムの実施例を示す。
【図２】本発明による地上マーキングの実施例を示す。
【図３】推奨速度のエンコーディングの例を示す。
【図４】地上マーキングの変化による、車両の速度の自動的な制御の実施例を示す。
【００１１】
図１には、本発明による運転支援システムを備えている車両１が概略的に示されている。前記の運転支援システムは、特に、以下の構成要素を含んでいる：
−前記の車両１の移動が意図されている走行レーン１１の画像を取得するように構成されているカメラ２。前記のカメラ２は、有利には、前記の車両１の前部に取り付けられており、それによって、前記の車両が前進する際に、前記の車両１の前方の走行レーン１１の画像を取得することができる。前記のカメラ２は、特に、取得した画像を記憶するために使用されるメモリを含むことができる；
−走行レーンの少なくとも一部に関する、前記の車両のための推奨速度をエンコーディングするように構成されている地上インフラストラクチャ。さらに前記の地上インフラストラクチャは、当該の地上インフラストラクチャによって事前に規定された経路を前記の車両のために事前に規定することによって、前記の車両１を誘導するためにも使用される。本発明によれば、前記の地上インフラストラクチャは、有利には前記の車両のための前記の経路を規定することもできるマーキングが設けられている場所における、前記の車両のための前記の推奨速度をエンコーディングするために地上に設けられた少なくとも１つのマーキング２１を含んでいる。本発明によれば、前記の車両に搭載されているカメラ２は、前記の車両１のための前記の推奨速度がエンコーディングされている情報を前記の取得された画像から収集するために、地上における前記のマーキング２１の画像を取得するように構成されている；
−カメラ２によって取得された画像から、前記の車両のための推奨速度をリアルタイムで特定するように構成されている、車両１に搭載されているオンボード装置３。前記のオンボード装置３は、特に、地上インフラストラクチャの前記の画像をリアルタイムで回収するために、前記のカメラ２に接続されている。前記のオンボード装置３は、前記の画像を解析し、さらに記憶するために、コンピュータおよびメモリを含むことができる。従って前記のオンボード装置３は、特に、カメラ２によって取得された画像を解析し、当該の画像から前記の地上マーキング２１を識別し、カメラ２によって取得された画像から、推奨速度Ｖの前記のエンコーディングをデコーディングすることによって、例えば前記の地上マーキングのパターンを識別して、当該のパターンについての一意の推奨速度を照合することによって推奨速度Ｖを特定するように構成されている。推奨速度が特定されれば、前記のオンボード装置３は、推奨速度の設定値を、すなわち前記のレーンの一部についての推奨速度に関する設定値をリアルタイムで生成および伝送するように構成されており、前記の設定値は、特に、前記のオンボード装置３によって、運転支援装置４にリアルタイムで送信される；
−運転支援装置４は、前記の速度の設定値を使用して、前記の車両の運転中にドライバを支援するように構成されている。前記の支援装置４は、特に、前記の速度の設定値を表示するための表示画面を含むことができる。この支援装置４は、有利には、前記の車両の速度が前記の推奨速度Ｖに等しくなるように、前記の推奨速度Ｖに応じて、前記の車両の速度を自動的に制御する、速度調整器として機能することができる。有利には、支援装置４は、以下の方式のうちの少なくとも１つに従ってドライバを支援する：
○例えば、前記の表示画面および受信した推奨速度の設定値によって、推奨速度Ｖをリアルタイムで前記のドライバに通知する；
○前記の推奨速度を超過したことをドライバに通知する。この場合、前記の支援装置は、例えば、前記の車両の実際速度を推奨速度Ｖと比較することができるコンピュータを含んでおり、かつ推奨速度を超過した場合には、例えば視覚的および／または音響的な信号によってドライバに自動的に警告を発するように構成されている；
○推奨速度Ｖの設定値に応じて、前記の車両の速度を制御する。この場合、前記の運転支援装置４は、速度調整器の機能を有しており、従って、前記の車両の速度を、時間にわたる推奨速度の設定値の値変化に応じて、従って地上マーキング２１の変化に応じて自動的に適合させるように構成されている。
【００１２】
図２から図４には、本発明によって権利主張されるような、地上マーキング２１による推奨速度のエンコーディングの例がより詳細に示されている。
【００１３】
図２には、種々の地上マーキングが、それぞれ２１Ａ、２１Ｂ、２１Ｃ、２１Ｄとして表されており、それらの地上マーキングを、走行レーンとして使用される地面に設けることができ、またそれらの地上マーキングは、それぞれ、異なる推奨速度をエンコーディングするために使用される。地上マーキングは、例えば、複数のダッシュ２１１から成る破線によって形成されているパターンを含むことができ、このダッシュ２１１は、例えば走行レーンの地面を塗装することによって走行レーンの地面に設けるように構成されており、各ダッシュ２１１の長さＬは、有利には、種々の地上マーキング２１Ａ〜２１Ｄに対して同一であってよく、各マーキングのダッシュ間の距離は、異なる推奨速度をエンコーディングしている。例えば、マーキング２１Ａは、第１の推奨速度、例えば４０ｋｍ／ｈをエンコーディングするために使用される長さＸＡの距離で離隔されている、長さＬの複数のダッシュから成る破線を含んでいる。同様に、マーキング２１Ｂは、第２の推奨速度、例えば３０ｋｍ／ｈをエンコーディングするために使用される長さＸＢ（但し、例えばＸＡ＞ＸＢ）の距離で離隔されている、長さＬの複数のダッシュから成る破線を含んでいる。同様に、マーキング２１Ｃは、第３の推奨速度、例えば２０ｋｍ／ｈをエンコーディングするために使用される長さＸＣ（但し、例えばＸＡ＞ＸＢ＞ＸＣ）の距離で離隔されている、長さＬの複数のダッシュから成る破線を含んでいる。最後に、マーキング２１Ｄは、第４の推奨速度、例えば１０ｋｍ／ｈをエンコーディングするために使用される長さＸＤ（但し、例えばＸＡ＞ＸＢ＞ＸＣ＞ＸＤ）の距離で離隔されている、長さＬの複数のダッシュから成る破線を含んでいる。従って本発明は、連続するダッシュ間の距離が、より正確には前記の距離の長さが推奨速度に依存しており、例えば推奨速度に比例している、有利には同じ長さの複数のダッシュから成る破線としての地上マーキングを設けることを提案する。従って、前記の距離の長さは、特に推奨速度をエンコーディングするために使用される。
【００１４】
この有利な実施の形態によれば、特定装置３は、特に前記のダッシュの長さＬを公称パラメータとして記憶するメモリを含んでいる。さらに前記の特定装置３のメモリは、例えば、入力として２つのダッシュ間の距離の長さＸの値と、相応の出力値として、各入力に対する、すなわち２つのダッシュ間の距離の長さＸの各値に対する推奨速度値と、を有するテーブルを含むことができる。さらに前記の特定装置は、プログラムにエンコーディングされており、かつ前記の特定装置によって実現される関数を含むこともでき、この関数は、図３に示されているように、連続する２つのダッシュ間の距離の長さＸを、一意の推奨速度Ｖと照合するものである。
【００１５】
特定装置は、カメラ２によって取得された画像において地上マーキングを識別し、連続する２つのダッシュを離隔させている長さＸを特定するために、各画像を解析することができる。実際には、各画像に関して、例えば前記の画像において（例えばピクセルで）地上マーキングの１つのダッシュの実際の長さＬに対応する長さＬ＿ｉと、地上マーキングの連続する２つのダッシュ間の距離の実際の長さＸに対応する長さＸ＿ｉと、を測定し、２つのダッシュ間の距離の実際の長さＸを、以下の単純な三数法、すなわちＸ＝（Ｘ＿ｉ／Ｌ＿ｉ）・Ｌ（但し、Ｌは前記の特定装置３のメモリに記憶されている前記の公称パラメータであり、かつＸ＿ｉおよびＬ＿ｉはカメラによって取得された画像において測定される）を使用して計算するように、特定装置は構成されている。２つのダッシュ間の距離の値Ｘが特定されれば、特定装置３は、例えば前記のテーブルまたは図３に示されているような前記の関数を使用して、推奨速度Ｖを特定するように構成されている。推奨速度Ｖの設定値は、続いて支援装置４に送信される。
【００１６】
図４には、距離Ｄにわたり前記の車両が前進移動する場合に、図２に示した地上マーキングの画像と、推奨速度、すなわちマーキング２１Ａについての４０ｋｍ／ｈ、マーキング２１Ｂについての３０ｋｍ／ｈ、マーキング２１Ｃについての２０ｋｍ／ｈおよびマーキング２１Ｄについての１０ｋｍ／ｈの各推奨速度と、から、特定装置が測定可能な距離ＸＡ、ＸＢ、ＸＣ、ＸＤ間の対応関係が示されている。本発明によれば、支援装置は特に、推奨速度の設定値を変化させながら、従って図４に示されているように、マーキング２１Ａに対応する４０ｋｍ／ｈの開始速度からマーキング２１Ｄに対応する１０ｋｍ／ｈの速度に減速しながら、前記の車両の第１の速度から前記の車両の第２の速度への円滑な移行を実現するように構成されている。さらに本発明によれば、推奨速度の設定値の連続的な変化によって、初期速度から最終速度までの連続的な変化を保証するために、ダッシュ間の距離を、初期速度（例えば４０ｋｍ／ｈ）に対応する第１の長さＸ１から、最終速度（例えば１０ｋｍ／ｈ）に対応する第２の長さＸ２へと漸進的に変化させることができる。支援装置４は、特に、受信した推奨速度の設定値に応じて前記の車両の速度を自動的に制御することができ、第１の速度から第２の速度への変化は、特に、急激な減速または加速のいずれも回避するために、所定の期間内に実行される。
【００１７】
勿論、その他の技術によって推奨速度Ｖをエンコーディングすることができ、例えばダッシュの長さと距離の長さとの比率を調整することができ、その場合、前記の長さ間の各比率は、推奨速度に対応している。さらに、破線によって形成された地上マーキングのパターンに加えて、地上に推奨速度をエンコーディングするためにその他のパターンを使用こともでき、そのようなパターンは、例えば、推奨速度のエンコーディングが意図されているにもかかわらず変化しない一方の寸法（例えば長さまたは幅、以下では「不変寸法」と記す）と、エンコーディングされるべき推奨速度に応じて変化する「可変寸法」とも称される他方の寸法（例えばそれぞれ幅または長さ）と、を有する幾何学パターンである。一般的に、ある走行レーンの一部に関する推奨速度を特定するために、特定装置は特に、カメラによって取得された画像における前記のパターンについての不変寸法と可変寸法との比率を計算する。有利には、特定装置は、（前記のテーブルの入力としての）前記の比率の値を、（前記のテーブルの出力としての）推奨速度と照合するテーブルを含んでいる。オプションとして、また上記において説明したように、前記の特定装置は、前記の比率の各値に推奨速度を与えるプログラムにエンコーディングされた関数を含むことができ、従ってそのような関数は、図３に示した関数に類似するやり方で、前記の比率に応じて推奨速度を特定することができる。
【００１８】
最後に、本発明は、誘導に使用される前記の地上マーキングに推奨速度をエンコーディングすることによって、前記の車両の速度を制御するために、前記の車両の誘導に用いられる地上マーキングを使用することができる、車両の簡潔な運転支援方法および簡潔な運転支援システムを提案する。
【図１】
2018045683.tif 000003
【図２】
2018045683.tif 000004
【図３】
2018045683.tif 000005
【図４】
2018045683.tif 000006
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
走行レーン（１１）を移動するように構成されている車両（１）の運転支援システムにおいて、
前記システムは、
カメラ（２）と、オンボード推奨速度特定装置（３）と、運転支援装置（４）と、を有しており、
−前記カメラ（２）は、前記車両（１）に搭載されるように構成されており、かつ前記走行レーン（１１）上に設けられている地上インフラストラクチャの画像を取得するように構成されており、
−前記地上インフラストラクチャは、前記走行レーン（１１）の少なくとも一部に設けられており、かつ前記走行レーン（１１）の前記一部に関する推奨速度をエンコーディングするように構成されている少なくとも１つの地上マーキング（２１）を含んでおり、
−前記オンボード推奨速度特定装置（３）は、前記カメラ（２）によって取得された前記画像において前記地上インフラストラクチャを識別することができ、前記走行レーン（１１）の一部に関する前記推奨速度をリアルタイムで特定するために、前記カメラ（２）によって取得された前記画像における前記地上マーキングをデコーディングし、かつ推奨速度の設定値を伝送するように構成されており、
−前記運転支援装置（４）は、前記推奨速度の設定値を受信し、かつ前記走行レーンの一部において前記車両を運転する際にドライバを支援するために、前記推奨速度の設定値を使用するように構成されている、運転支援システムにおいて、
前記地上マーキング（２１）は、前記推奨速度に応じて可変であり、かつ前記推奨速度をエンコーディングするために使用される可変寸法と、前記走行レーンの一部に関する前記推奨速度に無関係に不変のままである不変寸法と、を有している幾何学パターンを含んでおり、
前記特定装置（３）は、前記カメラ（２）によって取得された前記画像において測定された前記不変寸法と前記可変寸法との比率に応じて、前記推奨速度を特定または計算するように構成されている
ことを特徴とする、運転支援システム。
【請求項２】
支援を以下の形態のうちの少なくとも１つの形態で、すなわち
−前記推奨速度の設定値を、前記車両の前記ドライバにリアルタイムで通知する、
−前記推奨速度を超過したことについて前記ドライバに警告を発する、但し、前記支援装置は、前記車両の実際の速度を前記推奨速度の設定値とリアルタイムで比較するように構成されている、
−前記設定値を使用して取得された前記推奨速度に応じて、前記車両の速度を自動的に制御する、
のうちの少なくとも１つの形態で、支援を提供するように、前記支援装置（４）は構成されている、請求項１記載の運転支援システム。
【請求項３】
前記パターンは、相互に距離を置く複数のダッシュ（２１１）から成る線であり、前記不変寸法は、各ダッシュ（２１１）の同一の長さＬであり、前記可変寸法は、連続する２つのダッシュ間の距離の長さＸであり、前記長さＸは、前記走行レーンの一部に関する前記推奨速度に応じて変化し、かつ前記推奨速度をエンコーディングするために使用される、請求項２記載の運転支援システム。
【請求項４】
前記パターンは、相互に距離を置く複数のダッシュ（２１１）から成る線であり、前記不変寸法は、連続するダッシュ間の距離の同一の長さＸであり、前記可変寸法は、前記ダッシュ（２１１）の長さＬであり、前記長さＬは、前記走行レーンの一部に関する前記推奨速度に応じて変化し、かつ前記推奨速度をエンコーディングするために使用される、請求項２記載の運転支援システム。
【請求項５】
前記特定装置（３）は、プログラムにエンコーディングされた関数またはテーブルを含んでおり、かつ前記カメラ（２）によって取得された前記画像において測定されるような、前記不変寸法と前記可変寸法との比率の入力データを、出力データとしての一意の推奨速度と照合するように構成されている、請求項２から４までのいずれか１項記載の運転支援システム。
【請求項６】
前記地上マーキング（２１）は、前記車両（１）のための経路を事前に規定するように構成されており、かつ前記車両（１）のための誘導手段として機能する、請求項１から５までのいずれか１項記載の運転支援システム。
【請求項７】
走行レーン（１１）の少なくとも一部に関する、車両（１）のための推奨速度を特定する、前記走行レーン（１１）に沿って移動する前記車両（１）の運転支援方法において、
−前記走行レーンの少なくとも一部のための地上マーキング（２１）によって、推奨速度をエンコーディングし、
−前記車両（１）に搭載されているカメラ（２）によって取得された画像における前記推奨速度の前記エンコーディングをデコーディングすることによって、前記推奨速度をリアルタイムで特定し、
−前記走行レーンの一部において前記車両を運転する際にドライバを支援するために、前記推奨速度を使用する、運転支援方法において、
前記地上マーキング（２１）は、前記推奨速度に応じて可変であり、かつ前記推奨速度をエンコーディングするために使用される寸法と、前記走行レーンの一部に関する前記推奨速度に無関係に不変のままである不変寸法と、を有している幾何学パターンを含んでおり、
前記カメラによって取得された前記画像において測定された前記不変寸法と前記可変寸法との比率に応じて、前記推奨速度を特定または計算する
ことを特徴とする、運転支援方法。
【請求項８】
前記推奨速度を、以下のやり方、すなわち、
−前記車両の前記ドライバに前記推奨速度をリアルタイムで通知する、
−前記推奨速度を超過したことを前記ドライバに警告する、
−前記推奨速度に応じて、前記車両の速度を自動的に制御する、
のうちの１つで、前記ドライバを支援するために使用する、請求項７記載の運転支援方法。
【請求項９】
前記パターンは、相互に距離を置く複数のダッシュ（２１１）から成る線であり、前記不変寸法は、各ダッシュ（２１１）の同一の長さＬであり、前記可変寸法は、連続する２つのダッシュ間の距離の長さＸであり、前記長さＸは、前記推奨速度をエンコーディングするために、前記走行レーンの一部に関する前記推奨速度に応じて変化する、請求項７または８記載の運転支援方法。
【請求項１０】
前記地上マーキング（２１）により前記車両（１）を誘導する、請求項７から９までのいずれか１項記載の運転支援方法。
【外国語明細書】
2018045683.tif 000007
2018045683.tif 000008
2018045683.tif 000009
2018045683.tif 000010
2018045683.tif 000011
2018045683.tif 000012
2018045683.tif 000013
2018045683.tif 000014
2018045683.tif 000015
2018045683.tif 000016
2018045683.tif 000017
2018045683.tif 000018
2018045683.tif 000019
2018045683.tif 000020
2018045683.tif 000021
2018045683.tif 000022
2018045683.tif 000023
2018045683.tif 000024
2018045683.tif 000025
2018045683.tif 000026
2018045683.tif 000027
2018045683.tif 000028
2018045683.tif 000029